(57)【特許請求の範囲】
【請求項１】
折りたたみ可能な素材によって筒状に形成された発泡機本体と、該発泡機本体の先端に突出して設けられた発泡網と、前記発泡機本体の後端側に設けられ、前記発泡網に向かって泡水溶液を放射する放射ノズルと、該放射ノズルを覆う位置に設けられ、前記発泡機本体と略同一断面を有する収納箱と、該収納箱に設けられ、空気が吸引される吸気口と、を備えた発泡機であって、
前記発泡網は、折りたたみ可能に形成され、前記発泡機本体と一体となって折りたたまれた状態で前記収納箱に収納され、
前記収納箱の背面に、伸縮可能な脚部を設け、該脚部は、通常時に収縮することによって、前記収納箱を設置面に密着させて保持し、火災時に伸長することによって、前記設置面より離間させて保持することで前記吸気口から空気を吸引可能とすることを特徴とする発泡機。
【請求項２】
前記収納箱の前面に常時閉の蓋体を設け、該蓋体は、火災時に泡水溶液の水圧を利用して開くことを特徴とする請求項１に記載の発泡機。
【発明の詳細な説明】
【技術分野】
【０００１】
本発明は、高膨張泡消火装置に関し、より詳細には、折りたたみ式発泡機を備えた高膨張泡消火装置に関する。
【背景技術】
【０００２】
従来、折りたたみ式発泡機を備えた高膨張泡消火装置が提案されている。該消火装置の折りたたみ式発泡機は本体部分のみを蛇腹状に折りたたんで形成し、縮めた状態で小さく保持するとともに、発泡網を高さ方向に複数回折り曲げて波形状とし、発泡機本体の前面に設けることで発泡網を発泡機本体の前面から突出させることなく全体を短くして収納している（特許文献１を参照）。
【先行技術文献】
【特許文献】
【０００３】
【特許文献１】特開２００９−２３３２３３号公報
【発明の概要】
【発明が解決しようとする課題】
【０００４】
一方、防護領域内の煙を含んだ空気を利用して高膨張泡を放出するインサイドエア式の発泡機には、放射ノズルから放出される泡水溶液の勢いが強すぎると、発泡倍率が低下するという問題があった。これに対し、所定の混合率で混合した専用の泡水溶液を用いると共に、発泡網の先端角度を１５乃至４０°の鋭角にし、放射ノズルと発泡網の先端までの長さを長くすることで、発泡網に衝突する泡水溶液の勢いが低下するので、煙状況下でも発泡倍率の低下を防止できるという知見が得られている。
【０００５】
しかしながら、放射ノズルと発泡網の先端までの長さを長くするために、発泡網の先端角度を一度だけ折り曲げて、その角度を鋭角にすると、その分発泡機の全長が長くなってしまい、美観がよくないという新たな問題が生じる。
【０００６】
そこで、本発明は、設置状態の美感をよくすると共に発泡網の長さを長くすることの可能な発泡機を提供することを目的とする。
【課題を解決するための手段】
【０００７】
本発明は、折りたたみ可能な素材によって筒状に形成された発泡機本体と、該発泡機本体の先端に突出して設けられた発泡網と、前記発泡機本体の後端側に設けられ、前記発泡網に向かって泡水溶液を放射する放射ノズルと、該放射ノズルを覆う位置に設けられ、前記発泡機本体と略同一断面を有する収納箱と、該収納箱に設けられ、空気が吸引される吸気口と、を備えた発泡機であって、前記発泡網は、折りたたみ可能に形成され、前記発泡機本体と一体となって折りたたまれた状態で前記収納箱に収納され、前記収納箱の背面に、伸縮可能な脚部を設け、該脚部は、通常時に収縮することによって、前記収納箱を設置面に密着させて保持し、火災時に伸長することによって、前記設置面より離間させて保持することで前記吸気口から空気を吸引可能とすることを特徴とする発泡機である。
【０００８】
本発明は、前記収納箱の前面に常時閉の蓋体を設け、該蓋体は、火災時に泡水溶液の水圧を利用して開くことを特徴とする発泡機である。
【発明の効果】
【００１０】
本発明においては、放射ノズルと発泡網の先端までの長さが長くなる様に発泡網を形成し、発泡網の先端を鋭角にした場合でも、発泡機全体を小さく折り畳んだ状態で収納できるので、発泡網が折り畳めない発泡機と比較して美観がよい。更に、収納箱の前面には蓋体を設けたので、発泡網及び発泡機本体を折り畳んだ状態で保持でき、折り畳んだ状態が外から見えなくなるので、更に美観がよい。
【００１１】
又、収納箱の背面に伸縮可能な脚部を設け、通常時は収縮した状態で設置面に密着して保持されるので、より省スペースで発泡機を設置することができる。
【図面の簡単な説明】
【００１２】
【図１】本発明の第１実施形態を示す図であり、（ａ）は常時の状態を、（ｂ）は火災時の状態を示す図である。
【図２】図１（ａ）のＡ−Ａ断面を示す図である。
【図３】図１（ｂ）のＢ−Ｂ断面を示す図である。
【図４】本発明の第２実施形態を示す図であり、（ａ）は常時の状態を、（ｂ）は火災時の状態を示す図である。
【図５】本発明の脚部を示す図であり、（ａ−１）は常時における正面図に、（ａ−２）は常時における側面図に、（ｂ−１）は火災時における正面図に、（ｂ−２）は火災時における側面図に、（ｂ−３）は（ｂ−１）の要部拡大図に相当する図である。
【発明を実施するための形態】
【００１３】
本発明の第１実施形態を図１乃至３により説明する。本実施形態の高膨張泡消火装置は、防護領域の天井面等に取り付けられる発泡機１、発泡機１に泡水溶液を供給する泡水溶液供給配管（図示せず）及び発泡機１と該供給配管を介して接続され、泡水溶液を貯留する泡水溶液タンク（図示せず）を備える。
【００１４】
発泡機１は、発泡機本体２、発泡機本体２の先端に突出して設けられた発泡網３、発泡機本体２の後端側に設けられる放射ノズル４及び放射ノズル４を覆う位置に設けられる収納箱５を備える。又、発泡機本体２及び発泡網３は折りたたみ可能に形成され、発泡網３と発泡機本体２とが一体に折りたたまれた状態で、常時は収納箱５内に収納される。
【００１５】
発泡機本体２は、略四角筒状をしており、折りたたみ可能な難燃性又は不燃性の材料により形成される。本実施形態では不燃性の布材により形成されている。又、発泡機本体２は収納箱５と押さえ板６によって挟持され、ビス又は鋲等の固定手段によって収納箱５に内接状態で固定される。
【００１６】
発泡網３は、上記泡水溶液を発泡させるための穴の開いた中空且つ先端角度θが鋭角の略三角柱形状又は略四角錘形状の部材であり、折りたたみ可能な難燃性又は不燃性の材料により形成される。好ましくは、発泡網３の先端角度θ＝１５乃至４０°になるように形成される。本実施形態における、発泡網３は、グラスファイバーを編込むことにより開口率が６０乃至７０％程度になるように形成されるが、上記泡水溶液を発泡できればよく、難燃性又は不燃性の布材をパンチングによって穴を開け形成することもできる。
【００１７】
放射ノズル４は、泡水溶液を発泡機１内に供給するためのものであり、前記供給配管に連接される給水管７に接続されている。更に、放射ノズル４は、後述する吸気口１１からアスピレート効果によって空気を取り込むため、所定の勢い、例えば、０．２乃至１Ｍｐｈａ程度の強さで泡水溶液を放射するものである。給水管７には分岐管８が設けられ、分岐管８はシリンダ９に接続されている。シリンダ９は、分岐管８から供給される泡水溶液の水圧によって可動する断面略Ｔ字状のピストン１４を備える。
【００１８】
収納箱５は発泡機本体２と略同一断面を有し、その背面には火災時に防護領域内の空気を発泡機１内に供給する吸気口１１が設けられている。このため、収納箱５は、防護領域の天井面等から火災時に吸気口１１からの空気の供給に支障がでない程度の距離を離間して設置される。又、収納箱５の前面には、蝶番等の固定手段によって蓋体１０が回動可能に取り付けられる。該固定手段に対向する位置の側面にはシリンダ９が取り付けられる。
【００１９】
蓋体１０は、収納箱５の前面と略同形の平板状に形成され、常時は、収納箱５に設けられた磁石１２によって、収納箱５に磁着され、収納箱５を閉塞する。又、蓋体１０は、シリンダ９が取り付けられている側の縁が収納箱５よりも外方に突出しており、該縁には縁台１３が形成される。縁台１３は断面略冂字状をしており、該磁着された際に蓋体１０の水平面よりも、シリンダ９側に突出するように形成される。尚、磁石１２は収納箱５の外側に設けても良い。
【００２０】
次に本実施形態の火災時における動作について説明する。
（１）火災感知器（図示せず）が防護領域内の火災を検知すると、該火災感知器の信号によって弁（図示せず）が開き、加圧手段（図示せず）が起動することによって前記タンクから前記泡水溶液が前記供給配管を介して給水管７へと供給される。
（２）該泡水溶液は、給水管７に接続された放射ノズル４から発泡機１内に供給される。この際に、供給された泡水溶液の勢いによって発泡機１は吸気口１１から防護領域内の空気を収納箱５内に取り込んでいく。
【００２１】
（３）該水溶液の水圧及び吸気口１１から取り込んだ空気の空気圧によって、発泡機本体２及び発泡網３が膨らみ、その勢いにより蓋体１０は回動し収納箱５は開放され、防護領域と連通し、そして、発泡機本体２及び発泡網３は収納箱５の外部へと防護領域の床面に向かって垂直方向に展開される。又、この際に、蓋体１０の回動の補助的手段としてシリンダ９が用いられる。
【００２２】
即ち、本実施形態では、上記（２）の工程において、該水溶液は給水管７から放射ノズル４へと供給されると共に分岐管８を介してシリンダ９にも供給され、そして、供給された該水溶液の水圧によりシリンダ９のピストン１４が押し下げられていく。更に、押し下げられるピストン１４が蓋体１０の縁台１３を押し下げることによって、蓋体１０の収納箱５との磁着は解除され、蓋体１０が回動するようになっている。従って、本実施形態では、火災時に確実に収納箱５を開放することが可能である。
【００２３】
又、発泡機本体２及び発泡網３の展開後は、吸気口１１から発泡機本体２に供給される空気量は発泡網３から排気される空気量を上回っているため、前記泡水溶液が供給され該空気が発泡機１に供給されている間は発泡機本体２及び発泡網３の展開を維持することができる。
【００２４】
（４）そして、発泡機本体２及び発泡網３は収納箱５の外部に展開された後、該水溶液は、放射ノズル４から発泡網３へと向かって放射され、該水溶液は該空気を取り込みながら発泡網３に衝突することによって高膨張泡となり、発泡機１の外部へと放出される。本実施形態では、発泡網３の先端角度θを鋭角にすることができるため、専用の泡水溶液を利用すると共に発泡網３の長さを長く確保することが可能であり、煙が含まれる防護領域内の空気を使用しても所定の発泡倍率を確保できるようになっている。
【００２５】
（５）そして、該泡が火源を覆い、火源への酸素の供給を遮断することによって火災は窒息消火される。
【００２６】
本実施形態において、発泡機本体２及び発泡網３は折り畳むことが可能な柔軟な素材でできている。そのため常時は、発泡機本体２及び先端角度が鋭角としその全長を長くした発泡網３を小さく折り畳んだ状態で収納箱５に収納することができ、収納箱５の前面に設けられた蓋体１０により、外部から折り畳まれた発泡機本体２等が視認できなくなるので、従来の発泡機よりも美感の点で優れている。又、蓋体１０により外部に露出しないので、発泡機本体２及び発泡網３の保護も行うことができる。
【００２７】
又、火災時には、発泡機本体２及び発泡網３は、泡水溶液の水圧及び吸気口５から供給される空気の空気圧によって迅速に展開することができ、そして、発泡網３の長さを長く確保することができるため、煙を含んだ防護領域内の空気を用いても所定の発泡倍率の泡を放出することができる。
【００２８】
本実施形態の副次的な効果として、発泡機本体２及び発泡網３が柔軟な素材で形成されているため、万が一、発泡機本体２及び発泡網３が展開される際に、その真下に人間が居たとしても、発泡網３に当って怪我等を負う可能性を小さくすることができる。
【００２９】
本発明の第２実施形態を図４及び５により説明する。第１実施形態との相違は、収納箱５の背面側且つ側面側に伸縮可能な脚部１５及びシリンダ１６を備えることで、収納箱５を防護領域の天井面２６等に密着させておくことができるようにしたものである。尚、第１実施形態と同符号は構成及び効果は同様である。
【００３０】
シリンダ１６は、シリンダ９と同様の機構を備え、枝管２４を介して給水管７に接続されている。
【００３１】
脚部１５は天井側固定部１７及び収納箱固定部１８から構成される。天井側固定部１７にはレール部１９が形成され、レール部１９の上端側には、その内方に向かって突出したロック部２０，２１が設けられる。又、収納箱固定部１８はその上端側にスライド部２２を備える。スライド部２２は、レール部１９の幅Ｗ１と略同径且つロック部２０，２１間の幅Ｗ２より僅かに大きい略円柱形状に形成される。又、スライド部２２はレール部１９に嵌合しており、そして、その先端に脱落防止用の突部２３を備える。突部２３は、レール部１９の幅Ｗ１より幅広である。つまり、収納箱固定部１８はスライド部２２を介して収納箱固定部１８に連結され、スライド部２２はレール部１９上を摺動しながら移動できるようになっている。
【００３２】
次に、脚部１５の動作について説明する。
（Ａ）収納箱固定部１８のスライド部２２は、常時は、ロック部２０，２１よりもレール部１９の上端側に位置し、そして、ロック部２０，２１によりその位置を保持されている。つまり、脚部１５は収縮していることとなり、収納箱５は前記防護領域の天井面２６に密着していることとなる。
（Ｂ）前記火災感知器が火災を検知し、給水管７に前記泡水溶液が供給されると、該泡水溶液は枝管２４を通って、シリンダ１６にも供給される。
【００３３】
（Ｃ）シリンダ１６のピストン２５は収納部５の背面に近接して設けられ、ピストン２５が該泡水溶液の水圧によって下方へと押し下げられると収納箱５を下方へと押し下げる。このピストン２５が押し下げられる力によって、収納箱固定部１８のスライド部２２はロック部２０，２１を乗り越えながらその間を通過し、レール部１９の下端側へと移動する。つまり、脚部１５は伸長していく。
【００３４】
（Ｃ）の工程の際、脚部１５が伸長するに伴い、収納箱５は前記防護領域の天井面２６から離間していくこととなる。それと平行して上記（１）乃至（５）（段落番号［００２０］乃至［００２５］を参照）と同様の工程によって、発泡網３から泡を放出して火災は消火される。尚、分岐管８も伸長可能な配管（例えば、フレキシブル配管）とすることで、蓋体１０の回動の補助的手段としてシリンダ９が有効に作動する。
【００３５】
より詳細に述べると、収納箱５を防護領域の天井面２６等に密着させ過ぎると、吸引口１１からに空気の供給（吸気）が妨げられ、所定の発泡倍率が得られなくなる可能性がある。これに対し、本実施形態では、収納箱５の背面に伸縮自在な脚部１５を設けたので、常時は、収納箱５を防護領域の天井面２６等の設置面に密着させ、省スペースで設置し、火災時には、収納箱５を防護領域の天井面２６等から離間して吸気口１１と天井面２６等の間に空間を設けることが可能となる。これにより、吸気口１１からの空気の供給（吸気）が妨げられることなく、所定の発泡倍率を得ることができる。
【００３６】
尚、本実施形態では泡水溶液の水圧によって脚部１５を伸長させたが、他の手段によって脚部１５を伸縮させてもよい。
【００３７】
本発明は上記実施形態に限定されるものではなく、例えば、高膨張泡消火装置の中心軸を垂直方向に配設する代わりに、水平方向に配設し、火災時に発泡機本体２及び発泡網３が水平方向に展開されるようにすることもできる。そして、発泡網３の先端角度θは必ずしも鋭角である必要はなく、又、発泡機本体２及び発泡網３の形状は適宜変更することができ、例えば、発泡機本体２を円筒形状とし、発泡網を円錐形状としてもよい。更に、収納箱５の背面に吸気口１１を設ける代わりに、その側面に設けても良い。
【００３８】
又、上記実施形態では、泡原液と消火用水を事前に混合し、泡水溶液タンクに貯留したが、供給配管に混合器を設け、泡原液と消火用水を別々に貯留しても良い。
【００３９】
更に、上記実施形態では、蓋体１０を平板状とし、収納箱５に磁着したが、例えば、泡水溶液の放射圧力で破れるカバーのような物でも良い。これにより、シリンダ９を設ける必要がなくなるので部品数を減少させることが可能となる。
【符号の説明】
【００４０】
１    発泡機        ２    発泡機本体      ３    発泡網        ４    放射ノズル
５    収納箱        ６    押さえ板        ７    給水管        ８    分岐管
９    シリンダ      １０  蓋体            １１  吸気口        １２  磁石
１３  縁台          １４  ピストン        １５  脚部          １６  シリンダ
１７  天井側固定部  １８  収納箱固定部    １９  レール部      ２０  ロック部
２１  ロック部      ２２  スライド部      ２３  突部          ２４  枝管
２５  ピストン      ２６  天井面          θ    先端角度
【図１】
0005756371.tif 000002
【図２】
0005756371.tif 000003
【図３】
0005756371.tif 000004
【図４】
0005756371.tif 000005
【図５】
0005756371.tif 000006